(57)【要約】【目的】簡便に取り付け可能であり、しかも支柱に取り付ける位置も容易に可変であり、更には、径の異なる支柱に取り付け可能な導電線架設具を提供すること。【構成】請求項１記載の発明は、導電線を支持する碍子部と、碍子部と一体的に形成されると共に、外周面にらせん状に形成された突条が設けられた挟持片と、挟持片に対して揺動可能に取り付けられると共に、外周面にらせん状に形成された突条が設けられた挟持部材と、挟持片と挟持部材に螺合可能なリング部材とにより構成した。請求項２記載の発明は、挟持部材の端部が円筒形状に構成した。請求項３記載の発明は挟持部材の端部に円盤部を設けることでリング部材の抜け落ちを防止可能に構成した。請求項４記載の発明は、挟持片基部内周面に１個又は複数の突部を設けて構成した。【選択図】図１
2011113698.tif 000002
【特許請求の範囲】
【請求項１】
電気柵用支柱に導電線を架設するために用いられる導電線架設具であって、
導電線を支持する碍子部と、
碍子部と一体的に形成されると共に、外周面にらせん状に形成された突条が設けられた挟持片と、
挟持片に対して揺動可能に取り付けられると共に、外周面にらせん状に形成された突条が設けられた挟持部材と、
挟持片と挟持部材に螺合可能なリング部材と、
により成る導電線架設具。
【請求項２】
挟持部材の端部が円筒形状である請求項1記載の導電線架設具。
【請求項３】
挟持部材の端部に円盤部を設けることでリング部材の抜け落ちを防止可能とした請求項２記載の導電線架設具。
【請求項４】
挟持片基部内周面に１個又は複数の突部を設けた請求項１乃至３いずれかに記載の導電線架設具。
【発明の詳細な説明】
【技術分野】
【０００１】
有害動物類の侵入防止のために設置される電気柵には、導電線が張設される。本発明は、この導電線を支持するために用いられる導電線架設具に関するものである。
【背景技術】
【０００２】
近年、イノシシ、サル、シカなどの野生動物の個体数の増加や生息環境の変化に伴って、田畑や果樹園などの農作物を食い荒らす、いわゆる食害が大きな社会問題となっている。また、山林や牧場、ゴルフ場などにも動物類が侵入してさまざまな被害をもたらしている。
【０００３】
このような有害動物による食害などを防止するために、従来から種々の方法が採用されているが、その代表的なものに電気柵と呼ばれる電気ショックにより痛みを感じさせることによって動物を退散させる方法がある。これは支柱などによって支えられた、それぞれがプラスあるいはマイナスの電極に接続された裸電線等の導電線に高電圧のパルス電圧を印加し、これらの裸電線のプラス極とマイナス極に触れた動物に電気ショックによる痛みを感じさせることによって退散させ、侵入を防ぐものである。
【０００４】
このように電気ショックによる痛みを与えることで有害動物を退散させる方法は、痛みを感じて退散させるという効果だけではなく、たびたび痛みを受けることによる学習効果で近寄らなくなるという効果も併せ持っていること、設置と運転が容易で、コストも比較的低いことなどから最近よく利用されている。
【０００５】
かかる電気柵に用いられる導電線は、裸電線や繊維に金属線を編み込んだ形態のものが利用される。いずれにしても樹脂等で被覆されていないことから、導電線を支柱に取り付ける際に、漏電が起こらないよう絶縁性を有する導電線架設具を用いる必要がある。
【０００６】
かかる導電線架設具として、一般的には碍子が用いられる。図９は碍子を電気柵を構成する支柱に、取り付けた状態を示すものである。電気絶縁性を有する支柱２は、絶縁性を有する合成樹脂を被覆した鋼管や合成樹脂製の棒などが用いられる。碍子１は、多くの場合、支柱２に固定するための部分と、沿面放電を防ぐための溝と導電線３を巻き付けたり、引っ掛けて取り付けるための溝が設けられた部分から成るものである。
【０００７】
また、電気柵に導電線を取り付けるための、導電線架設具たる碍子に関する主な先行特許文献としては、下記に示すようなものがある。
【０００８】
特開平８−２４９９６２号公報及び特開２００７−３０５３０７号公報記載の碍子は、碍子本体と支柱に固定するためのフック部を有するものである。
【０００９】
特開２００８−１０４４４６号公報記載の碍子は、碍子部本体と、当該碍子部本体と一体的に形成された相対向する２個の挟持片から成るものである。
【先行技術文献】
【特許文献】
【００１０】
【特許文献１】特開平８−２４９９６２号公報
【特許文献２】特開２００７−３０５３０７号公報
【特許文献３】特開２００８−１０４４４６号公報
【発明の概要】
【発明が解決しようとする課題】
【００１１】
１、  電気柵は長距離に渡り、張り巡らす必要がある場合が多い。しかも、導電線は複数本張る必要があることから、支柱に取り付ける碍子の数は多数に上る。ゆえに、碍子は支柱に容易に取り付け可能であることが望まれる。そこで本発明は簡便に取り付け可能な、導電線架設具を提供することを目的とする。
【００１２】
２、  導電線を張る高さは、侵入防止の対象たる動物によって異なる。例えばタヌキやヌートリアといった小動物が対象の場合、地面に近い位置に張る必要があり、鹿やイノシシといった中大型動物が対象の場合は、地面からある程度の高さに張る必要がある。したがって導電線架設具を支柱に取り付ける位置も、容易に可変なものとする必要がある。そこで、本発明は簡便に取り付け高さを変更できる、導電線架設具を提供することを目的とする。
【００１３】
３、  電気柵用支柱には様々な直径のものが存する。ゆえに、導電線架設具は、それら径の異なる支柱のいずれにも、取り付け可能であることが望まれる。そこで、本発明は径の異なる支柱に取り付け可能な、導電線架設具を提供することを目的とする。
【課題を解決するための手段】
【００１４】
上記課題を解決するために、本発明にかかる導電線架設具は、次のように構成した。
【００１５】
請求項１：導電線を支持する碍子部と、碍子部と一体的に形成されると共に、外周面に            ネジ溝が設けられた挟持片と、挟持片に対して揺動可能に取り付けられると            共に、外周面にネジ溝が設けられた挟持部材と、挟持片と挟持部材に螺合可            能なリング部材と、により構成する。
【００１６】
請求項２：請求項1記載の導電線架設具において、挟持部材の端部を円筒形状に構成す            る。
【００１７】
請求項３：請求項２記載の導電線架設具において、挟持部材の端部に円盤部を設けるこ            とでリング部材の抜け落ちを防止可能に構成する。
【００１８】
請求項４：請求項１乃至３いずれかに記載の導電線架設具において、挟持片基部内周面            に１個又は複数の突部を設け構成する。
【発明の効果】
【００１９】
以下、上述のように構成される本発明が、如何に作用して、課題を解決する効果を奏するかを、図面を参照しながら概説する。
【００２０】
図１は本発明にかかる導電線架設具を、支柱に取り付ける過程を示したものである。
【００２１】
図１ａに示す挟持部材３０を揺動させ開口させた状態から、図１ｂに示されるように支柱２に架設具本体５０を嵌め込む。次いで挟持部材３０を揺動させると共に、リング部材４０を挟持片２０及び挟持部材３０に螺合させ、支柱２を挟持片２０、挟持部材３０の内周面とリング部材４０とで締め付け、もって支柱２に固定するのである。
【００２２】
かように、挟持部材３０を揺動させ、リング部材４０を螺合させるという簡便な手段のみで、何ら工具等を使用することなく導電線架設具を支柱に取り付けることが可能となるのである。
【００２３】
また、本発明かかる架設具は、取り付け時に支柱の先端あるいは基端から差し込む、といった方法によらずに取り付け可能なものであるがゆえに、設置の容易性が高まるものであると共に、設置後の取り付け高さの変更も容易になし得るものである。
【００２４】
図２は径の異なる支柱に取り付け可能であることを示すものである。
【００２５】
すなわち、本発明にかかる架設具では、挟持片２０の内周面とリング部材４０とで支柱２を締め付け、もって固定するものである。しかもリング部材４０は挟持片２０、挟持部材３０に対し螺合可能であることから、リング部材４０による締め付け位置は可変である。よって、支柱２が図２ａに示すような大径のものでも、図２ｂに示すように小径のものでも、架設具を取り付けることが可能となるのである。
【図面の簡単な説明】
【００２６】
【図１】本発明にかかる導電線架設具を支柱に取り付ける過程を示した説明図。
【図２】本発明にかかる導電線架設具の実施形態を示した正面図。
【図３】ａ  架設具本体の正面図。
【００２７】
ｂ  同左側面図。
【００２８】
ｃ  同右側面図。
【００２９】
ｄ  同平面図。
【００３０】
ｅ  同底面図。
【図４】図３ｂにおけるＡ−Ａ線断面図。
【００３１】
図３ｂにおけるＢ−Ｂ線断面図。
【図５】ａ  挟持部材の正面図。
【００３２】
ｂ  同左側面図。
【００３３】
ｃ  同右側面図。
【００３４】
ｄ  同平面図。
【００３５】
ｅ  同底面図。
【図６】図５ｄにおけるＣ−Ｃ線断面図。
【図７】挟持部材の他の実施形態を示す正面図。
【図８】ａ  リング部材の一部破断正面図。
【００３６】
ｂ  同平面図。
【図９】従来例の使用状態を示す説明図。
【発明を実施するための形態】
【００３７】
以下、好ましい発明の実施形態につき図面を参照しながら述べる。
【００３８】
図３は碍子部１０及び挟持片２０が、一体形成された架設具本体５０を示すものである。
【００３９】
導電線が巻きつけられる碍子部１０は、平面視が略半円形状を呈する２個の盤部１１，１１と、正面側・背面側それぞれに、２個の凹部１２ａ，１２ａを有する切欠き円盤部１２と、円盤部１３と、により成るものである。導電線は盤部１１，１１間にある隙間から差込み、盤部１１と切欠き円盤部１２との間に存する軸部１４に巻きつけ、次いで凹部１２ａから切欠き円盤部１２と円盤部１３との間に移動させ、軸部１５に巻きつけることにより弛みにくくなるものである。軸部１５は、図４ｂに示すように、外周が円弧状且つ凹部１５ｂを有する柱状体で、孔１５ａを有するものである。
【００４０】
また、碍子部１０と挟持片２０とは、図４ａに示すように断面が略十字型の柱部１６を介して一体的に形成されるものである。
【００４１】
挟持片２０は円弧状に湾曲されて形成されており、その外周面には、リング部材４０を螺合可能な、ネジ溝２１が設けられている。
【００４２】
また、挟持片２０の基部側は湾曲形状に形成してあり、その内周面には１個又は複数の突部２２が設けてある。この突部２２は、様々な径の支柱に当接可能とするため、すなわち、さまざまな径の支柱を締め付けることを、より容易にするために設けられている。
【００４３】
挟持片２０の先端には係止爪２３が設けてある。この係止爪２３は、挟持部材３０に設けた係止凹部３３に係止されることで、挟持部材３０の揺動状態をロックするものである。
【００４４】
挟持片２０と対向する側の柱部１６端部には、係止凹部１７が設けてある。この係止凹部１７に、挟持部材３０に設けた揺動軸３４を嵌め込むことで挟持部材３０を揺動可能となすのである。
【００４５】
図５は挟持部材３０を示すものである。基端側には係止凹部１７に嵌り込む、揺動軸３４が設けてある。揺動軸に続いて、湾曲形状に形成されると共に、外周面にリング部材４０と螺合可能なネジ溝３１を有する湾曲形状部３５が形成してある。図６に示されるように、この湾曲形状部３５に連続して円筒形状部３６が形成してある。この円筒形状部３６の外周面にも、リング部材４０と螺合可能な、らせん状に形成されたネジ溝３１が設けてある。
【００４６】
円筒形状部３６には、挟持片２０に設けた係止爪２３と係止可能な、係止凹部３３が設けてある。また、円筒形状部３６の先端側には中空リング状の円盤部３７が設けてある。
【００４７】
この円盤部３７には、ネジ溝３１が設けられていない。リング部材４０の抜け落ち防止のためである。すなわち、図１ｂに示されるような挟持片２０と挟持部材３０とが係止固定され、リング部材４０が螺合された状態では、リング部材４０が抜ける方向（図１における下方）に回転しても、円盤部３７に当接することで、抜け落ちることが防止できるのである。
【００４８】
尚、挟持部材３０の形状は、図７ａに示すように、揺動軸３４と湾曲形状部３５のみで構成しても構わない。かかる形状でも、図７ｂに示されるように、架設具本体５０に揺動自在に嵌め込み、リング部材４０を螺合することで、支柱に取り付け可能になるものである。
【００４９】
図８はリング部材４０を示すものである。リング部材４０は中空リング状体であり、その内周面にはネジ溝２１・３１と螺合可能な突条４１が形成してある。
【００５０】
以上詳述してきた碍子部１０、碍子部１０に一体的に形成された挟持片２０、挟持部材３０及びリング部材４０は、ポリエチレン、ポリプロピレン、ＡＢＳ樹脂、ポリカーボネート、ポリアミド、ポリスチレン、ポリアセタール等の合成樹脂から作成されるものであり、必要となる耐候性、強度、弾性等に応じて適宜使用できるものである。
【符号の説明】
【００５１】
１０・・碍子部
２０・・挟持片
２２・・突部
３０・・挟持部材
３７・・円盤部
４０・・リング部材
【図１】
2011113698.tif 000003
【図２】
2011113698.tif 000004
【図３】
2011113698.tif 000005
【図４】
2011113698.tif 000006
【図５】
2011113698.tif 000007
【図６】
2011113698.tif 000008
【図７】
2011113698.tif 000009
【図８】
2011113698.tif 000010
【図９】
2011113698.tif 000011